(57)【特許請求の範囲】
【請求項１】
画像形成装置本体内の空気を排気口部から画像形成装置本体外に排気する送風手段と、前記排気口部に設けられたフィルタ部材と、前記フィルタ部材を覆うように前記排気口部に設けられたフード部材と、を有する画像形成装置において、
前記フィルタ部材は、前記画像形成装置本体に対してスライドして脱着可能に取り付けられ、
前記フード部材には、前記フィルタ部材が前記排気口部に対してスライドして脱着するための開口部が形成されており、
前記フィルタ部材が所定位置に装着された状態で、前記フィルタ部材の一部である脱着時での把手部が前記フード部材の外側に位置し、前記把手部は、前記カバー部材を収納可能であって、前記カバー部材の一側端が固定される収納部を有しており、
前記フィルタ部材を前記フード部材の開口部から抜き出す際に、前記収納部内に収納された前記カバー部材は、この他側端が前記画像形成装置本体に係止されることで、前記収納部から引き出されて前記フィルタ部材のフィルタ面を覆うことを特徴とする画像形成装置。
【請求項２】
少なくとも前記フィルタ部材の前記把手部の配色は、前記フード部材及び前記画像形成装置本体の外観部材と異なることを特徴とする請求項１に記載の画像形成装置。
【請求項３】
前記フィルタ部材を保持可能であるとともに、前記フード部材内の所定位置と、前記フード部材の開口部から突出する位置との間でスライド移動するスライド部材を有することを特徴とする請求項１又は２に記載の画像形成装置。
【請求項４】
前記スライド部材は受け皿状に形成されていることを特徴とする請求項３に記載の画像形成装置。
【請求項５】
前記フィルタ部材が前記排気口部に装着されたことを検知する検知手段を有し、該検知手段の検知結果に応じて前記送風手段を駆動することを特徴とする請求項１から４のいずれか一項に記載の画像形成装置。
【請求項６】
前記フィルタ部材を前記排気口部に装着された状態でロックするロック部材を有し、前記送風手段の駆動時に前記ロック部材は前記フィルタ部材をロックすることを特徴とする請求項１から５のいずれか一項に記載の画像形成装置。
【発明の詳細な説明】
【０００１】
【発明の属する技術分野】
本発明は、電子写真方式、静電記録方式等の作像プロセスを用いた画像形成装置に関するものである。
【０００２】
【従来の技術】
従来、画像形成にトナーを用いる電子写真方式の複写機・プリンタ・ファクシミリ等の画像形成装置としては、被記録材（転写材・印刷用紙・感光紙・静電記録紙等）に転写方式、あるいは直接方式で形成担持させた目的の画像情報の未定着トナー像を固着像として熱定着処理する加熱定着装置を有するものがある。また、像担持体を一様帯電する一次帯電装置や、像担持体上のトナー像を被記録材に転写させる転写帯電装置を有する場合、これらの帯電装置からオゾンが発生することがある。
【０００３】
このような画像形成装置においては、機内の熱や空気を装置外部に排出させるために、送風手段としてのファンが取り付けられている。
【０００４】
また、そのファンの排気側には、機内に飛散しているトナーや機内に発生したオゾンを、装置外に排出させないようにするために、フィルタ部材が取り付けられている。
【０００５】
一方、画像形成装置にファンを取り付けることによって、ファンは常に回っているため、ファンのもたらす音が、騒音の問題としてあげられていた。
【０００６】
そこで、騒音レベルを下げるために、ファンを覆うように、装置にフード部材を取り付けることが行われている。
【０００７】
【発明が解決しようとする課題】
しかしながら、上記した従来の構成では、画像形成装置のファンの排気側に取り付けてあるフィルタ部材の交換作業は、フードを外したり、開けたりして行われている。
【０００８】
そのため、フィルタ部材の交換の作業性が悪いだけでなく、外観からフィルタ部材の位置を確認できないことから、ユーザがフィルタ部材の交換作業を行わないといったことがある。
【０００９】
さらには、フィルタ部材の脱着の際にトナー等の粉塵がこぼれて、ユーザの衣服や靴、及び装置周囲の床面や敷物等を汚すことがあるといった問題を有していた。
【００１０】
そこで、本発明の目的としては、上記した従来の構成が有する問題点を解消し、フィルタ部材の認識性と交換作業性を改善した構成を提供することである。
【００１１】
【課題を解決するための手段】
本発明に係る画像形成装置の第１の構成は、画像形成装置本体内の空気を排気口部から画像形成装置外に排気する送風手段と、前記排気口部に設けられたフィルタ部材と、前記フィルタ部材を覆うように前記排気口部に設けられたフード部材とを有する画像形成装置において、前記フィルタ部材は前記画像形成装置本体に対してスライドして脱着可能に取り付けられ、前記フード部材には前記フィルタ部材が前記排気口部に対してスライドして脱着するための開口部が形成されており、前記フィルタ部材が所定位置に装着された状態で、前記フィルタ部材の一部である脱着時での把手部が前記フード部材の外側に位置し、前記把手部は、前記カバー部材を収納可能であって、前記カバー部材の一側端が固定される収納部を有しており、前記フィルタ部材を前記フード部材の開口部から抜き出す際に、前記収納部内に収納された前記カバー部材は、この他側端が前記画像形成装置本体に係止されることで、前記収納部から引き出されて前記フィルタ部材のフィルタ面を覆うようにしている。
【００１３】
本発明に係る画像形成装置の第２の構成は、上記第１の構成において、少なくとも前記フィルタ部材の一部（把手部）の配色は、前記フード部材及び前記画像形成装置本体の外観部材と異なる。
【００１８】
本発明に係る画像形成装置の第３の構成は、上記第１又は第２の構成において、前記フィルタ部材を保持可能であるとともに、前記フード部材内の所定位置と、前記フード部材の開口部から突出する位置との間でスライド移動するスライド部材を有する。
【００１９】
本発明に係る画像形成装置の第４の構成は、上記第３の構成において、前記スライド部材は受け皿状に形成されている。
【００２０】
本発明に係る画像形成装置の第５の構成は、上記第１から第４のいずれか１つの構成において、前記フィルタ部材が前記排気口部に装着されたことを検知する検知手段を有し、該検知手段の検知結果に応じて前記送風手段を駆動する。
【００２１】
本発明に係る画像形成装置の第６の構成は、上記第１から第５のいずれか１つの構成において、前記フィルタ部材を前記排気口部に装着された状態でロックするロック部材を有し、前記送風手段の駆動時に前記ロック部材は前記フィルタ部材をロックする。
【００２２】
上記の構成によれば、フィルタの位置の認識を容易にし、交換作業性を著しく向上させる。さらには、フィルタに付着しているトナー等の粉塵が、こぼれてユーザの衣服や床等が汚れることを防止できる。また、ユーザがファンの動作中にフィルタを外すことによって発生しうる、トナー等の粉塵やオゾンが噴き出すといった問題を防止することができる。
【００２３】
【発明の実施の形態】
以下、本発明の実施の形態について図面を参照して説明する。以下の説明において本実施の形態における例示が本発明を限定することはないとする。
【００２４】
（第１の実施の形態）
図１から図３は、本発明に係る第１の実施の形態を示したものである。各図に共通する部材には同一の符号を付する。
【００２５】
図１は、本第１の実施の形態に係る画像形成装置１０１にフィルタ部材２０１、及びフード部材としてのファンフード１０４を取り付けた部分の斜視図である。図２は、送風手段としてのファン１０２部へのフィルタ部材２０１及びファンフード１０４の取り付け説明図である。また、図３は、前記図１のＡ矢視断面図である。
【００２６】
図２において、装置１０１内に設置されたファン１０２は、不図示の駆動手段により回転駆動し、装置１０１の筐体を切り抜いて形成された排気口部１０１ａから装置１０１内の空気を装置１０１外に排出する。
【００２７】
フィルタ部材２０１は、排気口部１０１ａを覆うように装置１０１に脱着自在に取り付けられ、排気される空気からトナーやオゾンを取り除く。前記フィルタ部材２０１の一側端にはトッテ部２０２が設けられている。
【００２８】
フィルタ部材２０１を装置１０１に取り付ける際には、トッテ部２０２を持ちながら、挿入側端部２０１ａを装置１０１側にし、取り付け方向Ｘにスライドさせる。
【００２９】
ガイド部材１０３は、排気口部１０１ａに取り付けられたフィルタ部材２０１の上側端部２０１ｂ、下側端部２０１ｃ、及び挿入側端部２０１ａをそれぞれ支持する上側ガイド部材１０３ｂ、下側ガイド部材１０３ｃ、及び挿入側ガイド部材１０３ａを有する。
【００３０】
前記ガイド部材１０３は、取り付け方向Ｘでスライドされるフィルタ部材２０１を排気口部１０１ａに案内し、かつフィルタ部材２０１を排気口部１０１ｂで支持する。
【００３１】
ファンフード１０４は、排気口部１０１ａ及びその周囲のガイド部材１０３を覆うように装置１０１に取り付けられる。
【００３２】
本第１の実施の形態では、前記ファンフード１０４は、取り付け方向Ｘに対し上流側の側面に、フィルタ部材２０１を装置１０１に脱着するための開口部１０４ａが設けられている。
【００３３】
これより、フィルタ部材２０１を装置１０１に取り付けるときには、フィルタ部材２０１の挿入側端部２０１ａをファンフード１０４の開口部１０４ａに挿入し、フィルタ部材２０１を取り付け方向Ｘにスライドしガイド部材１０３によってガイドさせながら排気口部１０１ａを覆う位置に取り付ける。
【００３４】
なお、前記フィルタ部材２０１の上側端部２０１ｂに設けられた係合部２０１ｄが、前記上側ガイド部材１０３ｂに設けられた突起部１０３ｄに係合することで、フィルタ部材２０１が排気口部１０１ａを覆う位置に位置決めされる。
【００３５】
また、本第１の実施の形態では、フィルタ部材２０１を装置１０１に取り付けたときに、図１に示すように、トッテ部２０２がファンフード１０４の外側になる。
【００３６】
これより、フィルタ部材２０１の交換等でフィルタ部材２０１を装置１０１から取り外すときには、ユーザはトッテ部２０２を持ち、フィルタ部材２０１を取り外し方向Ｘ´に引き抜く。
【００３７】
また、本第１の実施の形態では、前記フィルタ部材２０１の色は、装置１０１の外装色及びファンフード１０４の外装色と異なったものとし、かつ、上記したように、フィルタ部材２０１を装置１０１に取り付けたときにトッテ部２０２がファンフード１０４の外側となるため、ユーザがフィルタ部材２０１の位置を認識することが容易となる。
【００３８】
前記フィルタ部材２０１の色は、ユーザに交換部品であることを示す色、すなわち装置１０１の取り扱い説明書等に交換部品は特定色であると記載し、フィルタ部材２０１を特定色とすることで、ユーザがフィルタ部材２０１の交換作業を忘れることを防止する。
【００３９】
なお、フィルタ部材２０１の色は、少なくともトッテ部２０２を異なるものとすることにより同様の効果を得ることができる。
【００４０】
従来、フィルタ部材２０１は、ファンフード１０４に覆われており、トッテ部２０２もファンフード１０４の内側に存在していた。そして、ユーザがフィルタ部材２０１を交換する際には、ファンフード１０４を取り外してフィルタ部材２０１の交換が行われていた。一方、本第１の実施の形態によれば、ファンフード１０４の開口部１０４ａからフィルタ部材２０１を脱着することができ、ユーザがフィルタ部材２０１を交換する際にファンフード１０４の開閉等の作業が不要となる。
【００４１】
このように、本第１の実施の形態によれば、ユーザは装置１０１の外部からフィルタ部材２０１（トッテ部２０２）を認識することでフィルタ部材２０１の交換作業を忘れずに行い、装置１０１からの排気を適正に浄化することができる。また、フィルタ部材２０１の交換作業は、ファンフード１０４の開閉を省略できるため容易に行うことができる。
【００４２】
（参考の実施の形態）
図４から図７は、参考の実施の形態を示したものである。
【００４３】
以下の説明において、上記した第１の実施の形態で示した構造要素と同じものは前出の各図と同じ符号を付し、これらの構造要素については説明を省略する。また、第１の実施の形態と同様の動作についても説明を省略する。
【００４４】
本実施の形態が第１の実施の形態と異なる点は、フィルタ部材２０１を装置１０１に脱着するときに、フィルタ部材２０１のフィルタ面（排気方向に対し上流側の面）をカバー部材としてのフィルタカバーでカバーすることである。
【００４５】
これより、フィルタ部材２０１を装置１０１に脱着する際に、フィルタ部材２０１から回収した粉塵がこぼれて、ユーザの衣服や装置１０１周囲の床等を汚すことを防止する。
【００４６】
図４は装置１０１へのフィルタカバー３０１の取り付け説明図である。図５は前記図４のＢ矢視図である。図６は前記図４のＣ矢視図である。また、図７はフィルタ部材２０１及びフィルタカバー３０１の斜視図である。
【００４７】
フィルタカバー３０１は、平面部３０１ａと、この平面部３０１ａの上端及び下端に設けられた上下側面部３０１ｂ・３０１ｃとからなる断面コ形状をしており、フィルタ部材２０１のフィルタ面及び上下側面を保持する。前記フィルタカバー３０１の材質には樹脂や金属等が用いられている。
【００４８】
前記フィルタカバー３０１の平面部３０１ａでフィルタ部材２０１を保持する面と反対側には、図６に示すように、一側端にボス４０１が上下に２個設けられている。
【００４９】
また、前記フィルタカバー３０１の上下側面部３０１ｂ・３０１ｃでフィルタ部材２０１を保持する面側には、図７に示すように、上下側面部３０１ｂ・３０１ｃの長手方向に沿ってリブ５０１が設けられている。
【００５０】
前記フィルタカバー３０１のボス４０１は、図４及び図５に示すように、装置１０１に設けた２個のくぼみ４０２に係合され、フィルタカバー３０１が装置１０１に係止される。このとき、フィルタカバー３０１は、ファンフード１０４の開口部１０４ａから抜き出されるフィルタ部材２０１を保持するように、装置１０１に位置決めされる。
【００５１】
フィルタカバー３０１が装置１０１に係止されたときに、ファンフード１０４の開口部１０４ａからフィルタカバー３０１までの間隔は、フィルタ部材２０１のトッテ部２０２の取り付け方向Ｘの長さより大きくなっている。
【００５２】
フィルタカバー３０１を装置１０１に係止する構成は、上記した構成以外でも、装置１０１に対してフィルタカバー３０１を位置決めすることができるならば、本第２の実施の形態に適用することができる。また、フィルタカバー３０１は装置１０１に代えてファンフード１０４に対して位置決めさせても同様の効果を得ることができる。
【００５３】
一方、フィルタ部材２０１及びトッテ部２０２の上下側面にはそれぞれ長手方向に沿って溝部５０２が設けられている。
【００５４】
前記溝部５０２とフィルタカバー３０１のリブ５０１とが係合することで、フィルタ部材２０１がスライド自在にフィルタカバー３０１に保持される。
【００５５】
なお、フィルタ部材２０１のスライド構成としてはこのような構成に限られるものではなく、それ以外の構成としても本第２の実施の形態を適用することができる。
【００５６】
フィルタ部材２０１を装置１０１から取り外すときには、フィルタカバー３０１のボス４０１と装置１０１のくぼみ４０２を係合し、フィルタカバー３０１を装置１０１に係止する。そして、フィルタ部材２０１のトッテ部２０２を取り外し方向Ｘ´に引き抜くと、フィルタカバー３０１のリブ５０１とフィルタ部材２０１の溝部５０２が係合し、フィルタ部材２０１がスライドしながらフィルタカバー３０１に保持される。こうして、フィルタ部材２０１は、フィルタカバー３０１によってフィルタ面をカバーされながら、装置１０１から取り外される。
【００５７】
このように、本実施の形態によれば、ユーザは、フィルタ部材２０１のトナー等の粉塵が付着しているフィルタ面を触れることなく、フィルタ部材２０１の交換作業を行うことが可能となる。さらには、フィルタ部材２０１からトナー等の粉塵がこぼれる可能性をより減少させることができる。また、このような効果とともに、上記した第１の実施の形態と同様の効果を得ることができる。
【００５８】
（第２の実施の形態）
図８及び図９は、本発明に係る第２の実施の形態を示したものである。
【００５９】
以下の説明において、上記した第１の実施の形態で示した構造要素と同じものは前出の各図と同じ符号を付し、これらの構造要素については説明を省略する。また、第１の実施の形態と同様の動作についても説明を省略する。
【００６０】
本第２の実施の形態において第１の実施の形態と異なる点は、フィルタ部材２０１を装置１０１から取り外すときに、フィルタ部材２０１のフィルタ面（排気方向に対し上流側の面）をカバー部材としてのカバーシールによってカバーすることである。
【００６１】
これより、フィルタ部材２０１を装置１０１に脱着する際に、フィルタ部材２０１から回収した粉塵がこぼれて、ユーザの衣服や装置１０１周囲の床等を汚すことを防止する。
【００６２】
図８を参照して本第２の実施の形態について説明する。
【００６３】
図８は、フィルタ部材２０１の装置１０１への取り付け説明図である。
【００６４】
図８（ａ）は、フィルタ部材２０１を装置１０１に取り付けるために、ファンフードの開口部１０４ａにフィルタ部材２０１を挿入するときの要部段面図であり、図８（ｂ）は、フィルタ部材２０１を装置１０１に取り付けたときの要部断面図である。図８（ａ）及び（ｂ）においてフィルタ部材２０１は取り付け方向Ｘで装置１０１に取り付けられ、取り外し方向Ｘ´で装置１０１から取り外される。
【００６５】
図８（ｃ）は、装置１０１に取り付ける前のフィルタ部材２０１をフィルタ面側から見た図（図８（ａ）のＤ矢視図）であり、図８（ｂ）は、装置１０１から取り外した後のフィルタ部材２０１をフィルタ面側から見た図である。
【００６６】
本第２の実施の形態においては、フィルタ部材２０１はトッテ部２０２にカバーシール８０１を収納した状態（図８（ｃ））で装置１０１に取り付けられ、フィルタ部材２０１を装置１０１から取り外すときにカバーシール８０１がフィルタ部材２０１のフィルタ面を覆う状態（図８（ｄ））となる。
【００６７】
フィルタ部材２０１は、一側端にトッテ部２０２が設けられている。
【００６８】
前記フィルタ部材２０１を装置１０１に取り付けるときには、トッテ部２０２を持ち、挿入側端部２０１ａから装置１０１に挿入する。
【００６９】
前記フィルタ部材２０１のトッテ部２０２には、フィルタ面側が開口したピット状の収納部２０２ａが形成されており、この収納部２０２ａにカバーシール８０１が折り畳まれて収納される。
【００７０】
このとき、前記カバーシール８０１は、固定側端部８０１ａが収納部２０２ａの内部に固定され、係止側端部８０１ｂが収納部２０２ａから図８（ｃ）に示す幅Ｙだけ出されこの部分がフィルタ面に貼り付けられている。
【００７１】
前記カバーシール８０１は、係止側端部８０１ｂをフィルタ部材２０１の挿入側端部２０１ａへ引っ張ると、フィルタ部材２０１のフィルタ面を全面に渡って覆う。
【００７２】
また、前記カバーシール８０１の上縁及び下縁には、フィルタ部材２０１と貼着自在な粘着剤が付加されており、カバーシール８０１をフィルタ部材２０１に貼着することができる。
【００７３】
また、前記カバーシール８０１の係止側端部８０１ｂには、上下方向に２個の孔部８０２が形成されている。
【００７４】
一方、装置１０１には、前記カバーシール８０１の係止側端部８０１ｂを装置１０１側に係止するピーラー部材８０４が設けられている。
【００７５】
前記ピーラー部材８０４は、前記カバーシール８０１の孔部８０２と係合する突起部８０５と、前記フィルタ部材２０１のトッテ部２０２側端部に引っ掛かる爪部８０６とを同一面上に有している。
【００７６】
前記ピーラー部材８０４は、装置１０１内にバネ８０７に付勢されながら設置され、前記突起部８０５と前記爪部８０６が、装置１０１に設けた切り欠き部８０５ａ、８０６ａから突出する。
【００７７】
前記ピーラー部材８０４の突起部８０５及び爪部８０６の間隔は、図８（ｃ）に示すＺ、すなわちカバーシール８０１が折り畳まれた状態でフィルタ部材２０１のトッテ部２０２側端部からカバーシール８０１の孔部８０２までの間隔と同等としている。
【００７８】
また、フィルタ部材２０１が装置１０１に取り付けられた状態（図８（ｂ））で、前記ピーラー部材８０４の爪部８０６はトッテ部２０２の端部に引っ掛かり、かつ、前記ピーラー部材８０４の突起部８０５はカバーシール８０１の孔部８０２に係合するように、ピーラー部材８０４を装置１０１に配置している。
【００７９】
なお、カバーシール８０１の２個の孔部８０２に対応して、ピーラー部材８０４は装置１０１に上下に２個設置されている。
【００８０】
また、前記ピーラー部材８０４の突起部８０５の先端部には、カバーシール８０１の孔部８０２の孔径より大きい外周の係合部８０５ｂが形成されている。
【００８１】
フィルタ部材２０１を装置１０１に取り付けるときには、図８（ａ）に示すように、カバーシール８０１を収納部２０２ａに収納した状態で、フィルタ部材２０１を挿入側端部２０１ａからファンフード１０４の開口部１０４ａに挿入し、取り付け方向Ｘにフィルタ部材２０１をスライドさせる。
【００８２】
このとき、ファンフード１０４の開口部１０４ａに対して取り付け方向Ｘの上流側にはピーラー部材８０４の爪部８０６が突出しているが、フィルタ部材２０１の挿入側端部２０１ａが爪部８０６に当接すると、爪部８０６が装置１０１の内部に押し込まれる。また、爪部８０６に連動して突起部８０５も装置１０１の内部に押し込まれるため、フィルタ部材２０１を取り付け方向Ｘにスライドさせることができる。
【００８３】
さらにフィルタ部材２０１が取り付け方向Ｘにスライドし、フィルタ部材２０１のトッテ部２０２側端部が、ピーラー部材８０４の爪部８０６を通過すると、バネ８０７によって、爪部８０６が切り欠き部８０６ａから突出し、これに連動して突起部８０５も切り欠き部８０５ａから突出する。
【００８４】
このとき、突起部８０５は、カバーシール８０１の孔部８０２に突き当たり、カバーシール８０１の弾性によって孔部８０２が広がり、この孔部８０２に突起部８０５の係合部８０５ｂが挿通する。
【００８５】
こうして、ピーラー部材８０４は、カバーシール８０１の係止側端部８０１ｂを係止し、また、フィルタ部材２０１を固定する。
【００８６】
フィルタ部材２０１を装置１０１から取り外すときは、ピーラー部材８０４の爪部８０６を装置１０１の内部に押し込み、フィルタ部材２０１を取り外し方向Ｘ´にスライドさせる。
【００８７】
このとき、爪部８０６と連動して突起部８０５も装置１０１の内部に押し込まれ、また突起部８０５に係止されるカバーシール８０１の係止側端部８０１ｂは、突起部８０５によって装置１０１の内部方向に引っ張られる。
【００８８】
このように、カバーシール８０１の係止側端部８０１ｂがピーラー部材８０４に係止されながらフィルタ部材２０１が取り外し方向Ｘ´にスライドするため、図８（ｄ）に示すように、フィルタ部材２０１のフィルタ面がカバーシール８０１によって覆われる。
【００８９】
また、カバーシール８０１の係止側端部８０１ｂはピーラー部材８０４に係止されているが、さらにフィルタ部材２０１を取り外し方向Ｘ´にスライドし、カバーシール８０１が取り外し方向Ｘ´に引っ張られることで、カバーシール８０１の孔部８０２がピーラー部材８０４の突起部８０５から外れる。
【００９０】
そして、カバーシール８０１は上縁及び下縁に設けた粘着剤によってフィルタ部材２０１に貼着される。
【００９１】
本第２の実施の形態は上記した構成に限られることはなく、図９に示すような構成としてもよい。
【００９２】
図９は本第２の実施の形態に係るフィルタ部材２０１の装置１０１への取り付け説明図である。
【００９３】
図９において、フィルタ部材２０１のフィルタ面側に設けたカバーシール９０１は、図８に示すカバーシール８０１とほぼ同様であるが、図８の孔部８０２に代わり不図示の爪部が設けられ、また、装置１０１には図８のピーラー部材８０４に代わり溝部９０２が設けられている。
【００９４】
前記爪部は、カバーシール９０１の係止側端部９０１ｂに装置１０１と対向して設けられている。
【００９５】
前記溝部９０２は、ファンフード１０４の開口部１０４ａに対し取り付け方向Ｘの上流側で、装置１０１の筐体に上下方向に設けられており、前記爪部が引っ掛かるようになっている。なお、前記溝部９０２は部材や穴でもよく、また装置１０１ではなくファンフード１０４に設けてもよい。
【００９６】
フィルタ部材２０１を装置１０１に取り付けるときには、前記カバーシール９０１の爪部を前記溝部９０２に引っ掛けてから、フィルタ部材２０１をファンフード１０４の開口部１０４ａから挿入し取り付け方向Ｘにスライドさせる。
【００９７】
このとき、前記カバーシール９０１は係止側端部９０１ｂから剥がされていき、排気口部１０１ａにフィルタ部材２０１がフィルタ面を露出させて取り付けられる。また、剥がしとったカバーシール９０１は、上記したトッテ部２０２の収納部２０２ａに収納される。
【００９８】
また、フィルタ部材２０１を装置１０１から取り外すときには、フィルタ部材２０１を取り外し方向Ｘ´にスライドさせると、カバーシール９０１の係止側端部９０１ｂ（爪部）が前記溝部９０２に引っ掛けられているため、前記カバーシール９０１がフィルタ部材２０１のフィルタ面を覆うように前記収納部２０２ａから取り出され、粘着剤により前記カバーシール９０１はフィルタ面に貼着される。
【００９９】
このように、本第２の実施の形態によれば、ユーザが、トナー等の粉塵が付着しているフィルタ面を触れることを防止し、さらにはフィルタ部材２０１からトナー等の粉塵がこぼれる可能性を減少させることができる。また、このような効果とともに上記した第１の実施の形態と同様の効果を得ることができる。
【０１００】
（第３の実施の形態）
図１０及び図１１は、本発明の第３の実施の形態を示したものである。
【０１０１】
以下の説明において、上記した第１の実施の形態で示した構造要素と同じものは前出の各図と同じ符号を付し、これらの構造要素については説明を省略する。また、第１の実施の形態と同様の動作についても説明を省略する。
【０１０２】
本第３の実施の形態において第１の実施の形態と異なる点は、フィルタ部材２０１を装置１０１に脱着する際に、上記したガイド部材１０３に取り付けたスライド部材としてのトレイガイド１０３ｅによって、フィルタ部材２０１をファンフード１０４内外にスライドさせることである。
【０１０３】
図１０は本第３の実施の形態に係るフィルタ部材２０１の装置１０１への取り付け説明図である。
【０１０４】
図１０において、ガイド部材１０３の下側ガイド部材１０３ｃには、トレイガイド１０３ｅが取り付け方向Ｘ及び取り外し方向Ｘ´にスライド可能に支持されている。
【０１０５】
前記トレイガイド１０３ｅは、下側ガイド部材１０３ｃと略同等の長さであり、取り付け方向Ｘにスライドさせるとファンフード１０４内まで収納され、取り外し方向Ｘ´にスライドさせるとガイド部材１０３に一方端を支持された状態でフィルタ部材２０１とほぼ同等の長さが前記開口部１０４ａから引き出される。
【０１０６】
また、前記トレイガイド１０３ｅは、フィルタ部材２０１の厚みより大きい幅の溝１０３ｆを有している。
【０１０７】
フィルタ部材２０１を装置１０１に取り付けるとき、前記トレイガイド１０３ｅは、ファンフード１０４内から取り外し方向Ｘ´に、フィルタ部材２０１を置ける程度引き出される。すなわち、図１１の状態から図１０の状態まで引き出される。
【０１０８】
そして、フィルタ部材２０１をトレイガイド１０３ｅの溝１０３ｆにはめ込み、トレイガイド１０３ｅを取り付け方向Ｘにスライドさせてファンフード１０４内に収納することで、フィルタ部材２０１がファンフード１０４内の排気口部１０１ａに取り付けられる。
【０１０９】
また、フィルタ部材２０１を装置１０１から取り外すときは、フィルタ部材２０１をトレイガイド１０３ｅに取り付けたままで、フィルタ部材２０１を取り外し方向Ｘ´にスライドさせて、ファンフード１０４の外まで引き出す構成としている。
【０１１０】
このように、フィルタ部材２０１は、トレイガイド１０３ｅに固定され、スライド移動することにより装置１０１から脱着される。そのため、フィルタ部材２０１の脱着の作業性は著しく向上することになる。
【０１１１】
また、フィルタ部材２０１のフィルタ面は、トナー等の粉塵が付着しているため、フィルタ部材２０１を取り外すときに、その粉塵がこぼれる可能性を有していた。しかし、本第３の実施の形態のトレイガイド１０３ｅの形状は、トナー等の粉塵の落下を防止する受け皿を兼ねているため、フィルタ部材２０１の脱着の際、トナー等の粉塵をこぼして、床や机等を汚すことを防止することができる。
【０１１２】
また、このような効果とともに上記した第１の実施の形態と同様の効果を得ることができる。
【０１１３】
（第４の実施の形態）
図１２は、本発明に係る第４の実施の形態を示したものである。
【０１１４】
以下の説明において、上記した第１の実施の形態で示した構造要素と同じものは前出の各図と同じ符号を付し、これらの構造要素については説明を省略する。また、第１の実施の形態と同様の動作についても説明を省略する。
【０１１５】
本第４の実施の形態において第１の実施の形態と異なる点は、装置１０１にフィルタ部材２０１を脱着する際、フィルタ部材２０１が装置１０１から取り外されている間はファン１０２を停止することである。
【０１１６】
図１２は、本第４の実施の形態に係る装置１０１のフィルタ部材２０１の取り付け部を説明する一部切欠図である。
【０１１７】
図１２において、下側ガイド部材１０３ｃ上には、フィルタ部材２０１の有無を検知する検知手段としての検知レバー１００１ａが突出している。
【０１１８】
前記検知レバー１００１ａは、ファン１０２の駆動をＯＮ／ＯＦＦするスイッチ部１００１に接続されている。
【０１１９】
検知レバー１００１ａがフィルタ部材２０１を検知しているときは、スイッチ部１００１がＯＮ状態となる。そして、ファン１０２は回転駆動を行う。
【０１２０】
一方、検知レバー１００１ａがフィルタ部材２０１を検知していないときは、スイッチ部１００１がＯＦＦ状態となる。そして、ファン１０２は停止状態となる。
【０１２１】
すなわち、ファン１０２は、フィルタ部材２０１が装置１０１に取り付けられたときに回転駆動し、フィルタ部材２０１が装置１０１から取り外されたときに停止する。
【０１２２】
このように、本第４の実施の形態によれば、ユーザが装置１０１の電源を入れた状態において、フィルタ部材２０１の交換作業を行う場合に、フィルタ部材２０１を外した状態では、ファン１０２は停止することになる。そのため、装置１０１内よりトナー等の粉塵やオゾンを、外部に排出することを防止する。また、このような効果とともに上記した第１の実施の形態と同様の効果を得ることができる。
【０１２３】
（第５の実施の形態）
図１３は、本発明に係る第５の実施の形態を示したものである。
【０１２４】
以下の説明において、上記した第１の実施の形態で示した構造要素と同じものは前出の各図と同じ符号を付し、これらの構造要素については説明を省略する。また、第１の実施の形態と同様の動作についても説明を省略する。
【０１２５】
本第５の実施の形態において第１の実施の形態と異なる点は、装置１０１にフィルタ部材２０１を脱着する際に、装置１０１の電源ＯＮ状態又はファン１０２の駆動中に、フィルタ部材２０１を装置１０１から取り外すことを防止するロック部材１１０１を有していることである。
【０１２６】
図１３に本第５の実施の形態に係る装置１０１のフィルタ部材２０１の取り付け部を示す。
【０１２７】
ロック部材１１０１は、装置１０１に取り付けられたフィルタ部材２０１のトッテ部２０２側端部を押さえるように装置１０１から突出したロック状態（図１３）と、装置１０１の内部に収納されたロック解除状態となる。
【０１２８】
前記ロック部材１１０１は、不図示のソレノイドやリンク機構等の駆動手段によって駆動し、ロック状態又はロック解除状態になる。
【０１２９】
また、前記ロック部材１１０１は、不図示の制御手段によって制御され、装置１０１本体の電源ＯＮ状態又はファン１０２の駆動中ではロック状態となり、装置１０１本体の電源ＯＦＦ状態又はファン１０２の停止状態ではロック解除状態となる。
【０１３０】
すなわち、装置１０１本体の電源ＯＮ状態又はファン１０２の駆動中では、ロック部材１１０１はロック状態となり、フィルタ部材２０１は取り外し方向Ｘにスライドできない。そのため、ユーザはフィルタ部材２０１を装置１０１から取り外すことができない。
【０１３１】
一方、装置１０１本体の電源ＯＦＦ状態又はファン１０２の停止中では、ロック部材１１０１はロック解除状態となり、フィルタ部材２０１は取り外し方向Ｘ´にスライドできる。そのため、ユーザはフィルタ部材２０１を装置１０１から取り外すことができる。
【０１３２】
このように、本第５の実施の形態によれば、装置１０１本体の電源ＯＮ状態又はファン１０２の駆動中において、ユーザがフィルタ部材２０１の交換作業を行おうとしても、フィルタ部材２０１を取り外すことはできず、装置１０１内から装置１０外にトナー等の粉塵やオゾンを排出することを防止する。また、このような効果とともに上記した第１の実施の形態と同様の効果を得ることができる。
【０１３３】
【発明の効果】
以上説明したように、本発明によれば、ファンの排気口部がフード部材に覆われ、該排気口部にフィルタ部材が脱着自在に取り付けられる画像形成装置において、ユーザはフード部材を開閉することなくフィルタ部材の交換作業を行うことが可能となる。
【０１３４】
また、フィルタ部材は、装置とは異なる色であり、フィルタ部材のトッテ部はフード部材の外に露出しているため、装置の外部からもフィルタ部材（トッテ部）の位置の認識を容易にしている。そのため、ユーザがフィルタ部材の位置を認識することができる。
【０１３５】
さらに、フィルタ部材の脱着作業の際に、フィルタ部材のフィルタ面にカバーやシールを取り付けることにより、フィルタ部材に付着したトナー等の粉塵を、フィルタ部材の交換の際にこぼして、ユーザの衣服や周囲の床を汚すことを防止することができる。
【０１３６】
このように本発明によれば、多くの効果を得ることが可能となる。
【図面の簡単な説明】
【図１】本発明の第１の実施の形態に係る画像形成装置におけるフィルタ部材取り付け部の斜視図。
【図２】本発明の第１の実施の形態に係る画像形成装置におけるフィルタ部材及びファンフードの取り付け説明図（斜視図）。
【図３】本発明の第１の実施の形態に係る画像形成装置におけるフィルタ部材の取り付け説明図（図１のＡ矢視図）。
【図４】参考の実施の形態に係る画像形成装置におけるフィルタ部材の取り付け説明図（斜視図）。
【図５】参考の実施の形態に係る画像形成装置におけるフィルタ部材の取り付け説明図（上方図）。
【図６】参考の実施の形態に係るフィルタ部材にフィルタカバーを組み付けた状態の正面図。
【図７】参考の実施の形態に係るフィルタ部材及びフィルタカバーの斜視図。
【図８】本発明の第２の実施の形態に係る画像形成装置のフィルタ部材取り付け部の段面図（ａ）（ｂ）、フィルタ部材及びカバーシールの正面図（ｃ）（ｄ）。
【図９】本発明の第２の実施の形態に係る画像形成装置おけるフィルタ部材の取り付け説明図（斜視図）。
【図１０】本発明の第３の実施の形態に係る画像形成装置おけるフィルタ部材の取り付け説明図（斜視図）。
【図１１】本発明の第３の実施の形態に係る画像形成装置におけるフィルタ部材の取り付け部の斜視図。
【図１２】本発明の第４の実施の形態に係る画像形成装置におけるフィルタ部材の取り付け部の一部切り欠き正面図。
【図１３】本発明の第５の実施の形態に係る画像形成装置におけるフィルタ部材の取り付け部の斜視図。
【図１】
0003893321.tif 000002
【図２】
0003893321.tif 000003
【図３】
0003893321.tif 000004
【図４】
0003893321.tif 000005
【図５】
0003893321.tif 000006
【図６】
0003893321.tif 000007
【図７】
0003893321.tif 000008
【図８】
0003893321.tif 000009
【図９】
0003893321.tif 000010
【図１０】
0003893321.tif 000011
【図１１】
0003893321.tif 000012
【図１２】
0003893321.tif 000013
【図１３】
0003893321.tif 000014